(57)【特許請求の範囲】
【請求項１】
所定のパターンを照明する照明光学系と、１又は複数の球面鏡と複数のレンズと１又は複数の平面鏡とを有し、前記パターンの像を被露光物体の感光面上に形成する反射屈折型投影光学系とを備えた投影露光装置において、
前記照明光学系は、前記反射屈折型投影光学系から前記感光面へ向かう光の偏光状態をほぼ非偏光にするために、前記パターンを部分偏光光によって照明するように構成されたことを特徴とする投影露光装置。
【請求項２】
前記部分偏光光は、前記投影光学系に配置されたいずれか１つの前記平面鏡に入射する光軸と平行な光線を基準として偏光方向を定めたとき、Ｐ偏光を含むように部分偏光していることを特徴とする請求項１記載の投影露光装置。
【請求項３】
投影光学系の前記各平面鏡は、それぞれの平面鏡に入射する光軸と平行な光線を基準として偏光方向を定めたとき、Ｐ偏光に対する反射率とＳ偏光に対する反射率との差の、それぞれの平面鏡に入射するすべての光線についての最大値と最小値との差が、０．１以下となるように形成されていることを特徴とする請求項１又は２記載の投影露光装置。
【請求項４】
前記照明光学系が前記パターンを照明する照明領域と、前記投影光学系が前記感光面上に形成する露光領域とは、スリット状又は円弧状に形成され、
前記投影原版と被露光物体とは、前記照明領域及び露光領域の短手方向に同期して走査するように配置され、
前記投影光学系は、前記投影光学系に配置されたいずれか１つの前記平面鏡の近傍に前記パターンの中間像を形成する第１結像光学系と、前記中間像の再結像を前記感光面上に形成する第２結像光学系とを有することを特徴とする請求項１、２又は３記載の投影露光装置。
【請求項５】
前記第１結像光学系は１つの凹面鏡を有し、前記第２結像光学系は縮小の結像倍率を有することを特徴とする請求項４記載の投影露光装置。
【請求項６】
前記投影光学系は、前記中間像の近傍に配置された平面鏡のほかに、該平面鏡に引き続いて配置され、又は前記第２結像光学系の内部に配置された別の平面鏡を有することを特徴とする請求項４又は５記載の投影露光装置。
【請求項７】
光源からの光に基づいて、所定のパターンの像を被露光物体の感光面上に形成する投影露光装置において、
前記光源と前記被露光物体との間の光路中に配置されて、入射光を偏向する平面鏡と、
前記感光面をほぼ非偏光で露光するように、前記平面鏡へ入射する入射光の偏光度を制御する偏光度制御手段とを備えていることを特徴とする投影露光装置。
【請求項８】
前記偏光度制御手段は、前記平面鏡で反射された反射光の偏光度を、前記入射光の偏光度よりも小さくすることを特徴とする請求項７記載の投影露光装置。
【請求項９】
前記偏光度制御手段と前記パターンとの間の光路中に配置された複屈折光学部材をさらに備え、
前記偏光度制御手段は前記複屈折光学部材への入射光の偏光度を制御していることを特徴とする請求項７又は８記載の投影露光装置。
【請求項１０】
所定のパターンの像を被露光物体の感光面上に投影する投影露光方法において、
請求項１乃至９のいずれか１項記載の投影露光装置を用いて前記パターンの像を前記被露光物体の前記感光面上に形成していることを特徴とする投影露光方法。
【請求項１１】
光源からの光に基づいて、所定のパターンの像を被露光物体の感光面上に形成する投影露光装置の調整方法であって、
前記投影露光装置は、前記光源と前記被露光物体との間の光路中に配置されて、入射光を偏向する平面鏡を備え、
前記感光面に達する光がほぼ非偏光となるように、前記平面鏡へ入射する入射光の偏光度を調整して、前記平面鏡で反射された反射光の偏光度を、前記入射光の偏光度よりも小さくすることを特徴とする投影露光装置の調整方法。
【請求項１２】
前記投影露光装置は、前記光源から前記パターンに至る光路中に配置された複屈折光学部材をさらに備え、
前記光源の光軸廻りの配置位置を調整することを特徴とする請求項１１記載の調整方法。
【請求項１３】
前記投影露光装置は、前記光源から前記パターンに至る光路中に配置された複屈折光学部材と、該複屈折光学部材と前記光源との間の光路中に配置された波長板とをさらに備え、
前記波長板の光軸廻りの配置位置を調整することを特徴とする請求項１１記載の調整方法。
【発明の詳細な説明】
【０００１】
【発明の属する技術分野】
本発明は、例えば半導体素子、または液晶表示素子等をフォトリソグラフィ工程で製造する際に使用される投影露光装置に関し、特に投影光学系の要素として反射系を用いることにより、紫外線波長域で０．１ミクロン単位の解像度を有する反射屈折型投影光学系を備える投影露光装置に関する。
【０００２】
【従来の技術】
半導体素子等を製造するためのフォトリソグラフィ工程においては、フォトマスクまたはレチクル（以下、レチクルと総称する。）上のパターンの像を、投影光学系を介して、フォトレジスト等が塗布されたウエハまたはガラスプレート等（以下、ウエハと総称する。）上に露光する投影露光装置が使用されている。半導体素子等の集積度が向上するにつれて、投影露光装置に使用されている投影光学系に要求される解像力は益々高まっている。この要求を満足するために、照明光の波長を短くし、且つ投影光学系の開口数（Ｎ．Ａ．）を大きくする必要が生じた。
【０００３】
しかし、照明光の波長が短くなると、光の吸収によって実用に耐える硝材の種類は限られ、波長が３００ｎｍ以下になると、現在のところ実用上使える硝材は合成石英と蛍石だけとなる。両者のアッベ数は、色収差を補正するのに十分な程は離れていないので、色収差の補正が困難となる。
また求められる光学性能は極めて高いため、各収差をほぼ無収差にすることが必要となる。これをレンズ群のみで構成される屈折光学系で達成するためには、多数のレンズが必要となり、透過率の低減や光学系を製造するためのコストの増大を避けることはできない。
【０００４】
これに対して凹面鏡等のパワーを用いた反射光学系は色収差がなく、しかもレンズとは逆のペッツバール和への寄与を示すため、反射光学系と屈折光学系とを組み合わせたいわゆる反射屈折光学系によれば、レンズ枚数の増加を招くことなく、色収差をはじめとする各種の収差をほぼ無収差にすることができる。こうした反射屈折光学系により投影光学系を構成する種々の技術が提案されてきている。その中で、光学系の途中で１回中間像を形成するタイプとしては、特開昭６３−１６３３１９号公報、特公平７−１１１５１２号公報、特公平５−２５１７０号公報、ＵＳＰ−４，７７９，９６６等が開示されている。
【０００５】
【発明が解決しようとする課題】
上記の如き従来の技術では、収差補正のために凹面鏡等の球面鏡が必ず用いられる。そのため、レチクルから球面鏡に向かう光の光路と、球面鏡から戻る反射光の光路とを分離して、球面鏡から戻る反射光の光路をウエハ方向に偏向させる必要がある。それ故、反射膜のコーティングされた１つまたは複数の平面鏡が必要となる。しかし光線を偏向する平面鏡は、Ｐ偏光に対する反射率とＳ偏光に対する反射率とが異なる。
特に露光波長が短くなると、膜材料の減少等により、反射膜によるＰ偏光とＳ偏光に対する反射率の差が大きくなり、この結果、方向性をもった偏光光が生じてしまう。投影露光に方向性をもった偏光光を用いると、レチクルパターンの方向性により結像性能が変化してしまう。結像性能の変化量は開口数に比例し、通常の投影光学系は縮小倍率を持っているために、ウエハ側でより大きな開口数を持つ。したがってこの場合には、ウエハ上での結像性能の変化が顕著となり、フォトリソグラフィ工程において大きな問題となる。
本発明はかかる点に鑑み、紫外線波長域で大きな開口数を達成し、光学系が実用的な大きさで、レチクルパターンの方向性に依存せず、０．１ミクロン単位の解像度を有する反射屈折型投影光学系を備える投影露光装置を提供することを課題とする。
【０００６】
【課題を解決するための手段】
上述の課題を達成するために、本発明は、投影原版上に形成されたパターンを照明する照明光学系と、１又は複数の球面鏡と複数のレンズと１又は複数の平面鏡とを有し、前記パターンの像を被露光物体の感光面上に形成する反射屈折型投影光学系とを備えた投影露光装置において、前記照明光学系は、前記反射屈折型投影光学系から前記感光面へ向かう光の偏光状態をほぼ非偏光にするために、前記パターンを部分偏光光によって照明するように構成されたことを特徴とする投影露光装置とした。
また、本発明は、光源からの光に基づいて、所定のパターンの像を被露光物体の感光面上に形成する投影露光装置であって、前記光源と前記被露光物体との間の光路中に配置されて、入射光を偏向する平面鏡と、前記感光面をほぼ非偏光で露光するように、前記平面鏡へ入射する入射光の偏光度を制御する偏光度制御手段とを備えていることを特徴とする投影露光装置とした。
また、本発明は、光源からの光に基づいて、所定のパターンの像を被露光物体の感光面上に形成する投影露光装置の調整方法であって、前記投影露光装置は、前記光源と前記被露光物体との間の光路中に配置されて、入射光を偏向する平面鏡を備え、前記感光面に達する光がほぼ非偏光となるように、前記平面鏡へ入射する入射光の偏光度を調整して、前記平面鏡で反射された反射光の偏光度を、前記入射光の偏光度よりも小さくすることを特徴とする投影露光装置の調整方法とした。
【０００７】
【発明の実施の形態】
平面鏡に入射する光がＰ偏光とＳ偏光のみからなり、且つ両偏光が合成されない場合、すなわち円偏光や、楕円偏光や、Ｐ偏光方向とＳ偏光方向以外の方向に振動する直線偏光を含まない場合には、入射光のストークスパラメータＳ0〜Ｓ3は、
Ｓ0＝Ｉs＋Ｉp
Ｓ1＝Ｉs−Ｉp
Ｓ2＝０
Ｓ3＝０
Ｉs、Ｉp：入射光のＳ偏光成分の強度と、Ｐ偏光成分の強度
となる。
したがってこの場合には、入射光の偏光度Ｖは、
0003985346.tif 000002
となる。
【０００８】
他方、平面鏡で反射した反射光の強度は、
Ｉs′＝Ｉs・Ｒs
Ｉp′＝Ｉp・Ｒp
Ｉs′、Ｉp′：反射光のＳ偏光成分の強度と、Ｐ偏光成分の強度
Ｒs、Ｒp：Ｓ偏光に対する強度反射率と、Ｐ偏光に対する強度反射率
となる。
したがって反射光のストークスパラメータＳ0′〜Ｓ3′と、反射光の偏光度Ｖ′は、
Ｓ0′＝Ｉs′＋Ｉp′＝Ｉs・Ｒs＋Ｉp・Ｒp
Ｓ1′＝Ｉs′−Ｉp′＝Ｉs・Ｒs−Ｉp・Ｒp
Ｓ2′＝０
Ｓ3′＝０
0003985346.tif 000003
となる。
【０００９】
ここで、反射光の偏光度がＶ′＝０となるためには、
Ｉs・Ｒs−Ｉp・Ｒp＝０
すなわち、
Ｉs＝Ｉp・Ｒp／Ｒs
となるから、入射光の偏光度Ｖは、
0003985346.tif 000004
となる。
一般に強度反射率Ｒs、Ｒpは、Ｒs＞Ｒpであるから、
Ｓ1＝Ｉs−Ｉp＝Ｉp／Ｒs・（Ｒp−Ｒs）＜０
であり、これはＰ方向の偏光を表わす。したがって、Ｐ方向に｜（Ｒp−Ｒs）／（Ｒp＋Ｒs）｜の偏光度を持つ部分偏光光を平面鏡に入射させると、反射光の偏光度Ｖ′がＶ′＝０となり、完全非偏光である反射光を得ることができる。
【００１０】
【実施例】
本発明の一実施例を図面によって説明する。図１は本発明による投影露光装置の概略図を示す。レーザー光源１より発した直線偏光は、整形光学系２によってその光束形状を整形された後に、複屈折光学部材によって形成された偏角プリズム３と、等方性材料によって形成された等方性プリズム４とを通過し、オプティカルインテグレータ５によって複数の光源像を形成し、コンデンサー６を介してレチクルＲをケーラー照明する。以上のようにこの露光装置の照明光学系は、レーザー光源１からコンデンサー６までに至る上記各光学部材によって構成されている。
【００１１】
レチクルＲの下面には回路パターンが描かれており、このパターンを透過した光束は第１結像光学系１０によってパターンの中間像１５を形成する。第１結像光学系１０には１つの凹面鏡１１が配置されており、したがって第１結像光学系は部分的に往復光学系となっている。中間像１５の近傍には第１平面鏡１６が配置されており、同平面鏡１６によって、凹面鏡１１に向う光束と、凹面鏡１１から反射した光束とが分離されている。
【００１２】
第１平面鏡１６によって光路を９０°偏向された光束は、第２平面鏡２１によって更に光路を９０°偏向されており、これにより、第１光学系１０と平行な光路に戻っている。第２平面鏡２１によって９０°偏向された光路には第２結像光学系２０が配置されており、同光学系２０によって中間像１５の再結像が形成され、この再結像の位置に、ウエハＷの感光面が配置されている。以上のようにこの露光装置の投影光学系は、第１結像光学系１０から第２結像光学系に至る上記各光学部材によって構成されている。
なお、本実施例では第１平面鏡１６と第２結像光学系２０との間に第２平面鏡２１を配置したが、第１平面鏡に引き続いて第２結像光学系２０を配置し、同光学系２０の内部に第２平面鏡２１を配置する構成とすることもできる。
【００１３】
図２（Ａ）は図１中Ａ−Ａ線矢視図を示し、同図中、Ｒａは照明光学系による照明領域を示し、Ｒｂは投影光学系の物体面上有効領域を示す。また図２（Ｂ）は図１中Ｂ−Ｂ線矢視図を示し、同図中、Ｗａは投影光学系による露光領域を示し、Ｗｂは投影光学系の像面上有効領域を示す。本実施例の投影光学系は、第１結像光学系１０の内部に往復光学系を持っているから、光軸ｚを使用することはできない。それ故照明領域Ｒａ及び露光領域Ｗａは、光軸ｚを含まない長方形の形状となっている。
【００１４】
そしてレチクルＲとウエハＷとは、照明領域Ｒａ及び露光領域Ｗａの短手方向に、投影光学系の倍率に比例した速度比にて、同期して走査するように構成されている。こうして照明領域Ｒａ及び露光領域Ｗａを、その短手方向に拡大した範囲のパターンが、ウエハＷの感光面上に投影露光される。
なお第１結像光学系１０の倍率はほぼ等倍であり、第２結像光学系２０の倍率は縮小倍率であり、したがって投影光学系全体の倍率は縮小倍率である。
また本実施例では照明領域Ｒａ及び露光領域Ｗａの形状を長方形状としているが、照明領域Ｒａ及び露光領域Ｗａの形状は、任意の直線ないしは曲線を走査方向に移動したときに塗りつぶされる形状とすることができ、例えば円弧を、弦の２等分方向に移動したときに塗りつぶされる形状とすることもできる。
【００１５】
ここで、第１結像光学系１０の光軸ｚ方向をＺ方向とし、Ｚ方向と直交し互いに直交する２方向をＸ及びＹ方向とし、このうち図１の紙面内にＸ方向をとり、図１の紙面と直交する方向にＹ方向をとる。図１に示すように、第１平面鏡１６も第２平面鏡２１も、ＸＹ面をＹ軸周りに４５°回転した位置に配置されている。
【００１６】
次に図３（Ａ）は、偏角プリズム３と等方性プリズム４との拡大図を示し、図３（Ｂ）、（Ｃ）及び（Ｄ）は、それぞれ図３（Ａ）中、Ｂ−Ｂ線、Ｃ−Ｃ線及びＤ−Ｄ線矢視図を示す。図３（Ａ）と（Ｃ）に示すように、偏角プリズム３の入射面はＸＹ面に配置されており、射出面はＸＹ面をＹ軸周りに回転した位置に配置されている。また偏角プリズム３の光学軸３ａは、Ｘ方向に配置されている。他方、等方性プリズム４の入射面はＸＹ面をＹ軸周りに回転した位置に配置されており、射出面はＸＹ面に配置されている。
【００１７】
さて、レチクルＲから発した各種の光線のうち、主光線ＣＲはＸＺ面内にある。したがって以降、ＸＺ面内を進行する光線について説明する。ＸＺ面内を進行する光線のうちで振動面がＸＺ面内にある直線偏光は、第１平面鏡１６に関しても第２平面鏡２１に関しても、また、偏角プリズム３に関しても等方性プリズム４に関しても、Ｐ偏光である。同様に、ＸＺ面内を進行する光線のうちで振動面がＹ方向と平行な直線偏光は、第１平面鏡１６、第２平面鏡２１、偏角プリズム３及び等方性プリズム４に関してＳ偏光である。
【００１８】
図３（Ｂ）に示すように、偏角プリズム３に入射する光線のうち、ＸＺ面内を進行する光線は、Ｐ偏光成分とＳ偏光成分とを含み、且つＰ偏光成分の方が多くなるように構成されている。この構成は、レーザー光源１の光軸周りの配置位置を調整することにより、あるいは、例えば偏角プリズム３の直前に１／２波長板を配置して、その光軸周りの配置位置を調整することによって達成される。
なお図３（Ｂ）では、ＸＺ面内を進行して偏角プリズム３に入射する光線が直線偏光である場合を示しているが、Ｐ偏光成分の方が多い楕円偏光であっても良い。
【００１９】
偏角プリズム３に垂直入射した光線のうちのＳ偏光成分（振動面がＹ方向と平行な偏光成分）は、電気ベクトルの振動方向が偏角プリズム３の光学軸３ａと直交しているから、常光線ｏとして偏角プリズム３の内部を進む。他方Ｐ偏光成分（振動面がＸＺ面内にある偏光成分）は、電気ベクトルの振動方向が光学軸３ａと平行であるから、異常光線ｅとして偏角プリズム３の内部を進む。但し両偏光成分ｏ（Ｓ）、ｅ（Ｐ）とも、偏角プリズム３の入射面に垂直入射しており、且つ、偏角プリズム３の光学軸３ａがＸ方向に配置されているために、両成分は偏角プリズム３の内部を垂直に進む。
【００２０】
その後両偏光成分ｏ（Ｓ）、ｅ（Ｐ）は、偏角プリズム３の射出面に達して屈折して射出する。その際、偏角プリズム３の素材が水晶のように正結晶であるとすると、常光線ｏ（Ｓ偏光成分）の屈折率は、異常光線ｅ（Ｐ偏光成分）の屈折率よりも小さいから、両成分は分岐して偏角プリズム３の射出面より射出する。その後両成分は、等方性プリズム４を通過することによって、分岐方向がＺ方向に関して対称となるように変換される。
こうして等方性プリズム４射出後の光線は、図３（Ｄ）に示すように、Ｐ偏向成分とＳ偏向成分とに分離され、しかもＰ偏向成分の強度の方が強い光線となる。
【００２１】
なお、ＸＺ面内を進行して偏角プリズム３に入射する光線のうち、偏角プリズム３に垂直入射しない光線は、偏角プリズム３の入射面から、常光線ｏ（Ｓ偏光成分）と異常光線ｅ（Ｐ偏光成分）に分離する。また、偏角プリズム３は、常光線ｏ（Ｓ偏光成分）と異常光線ｅ（Ｐ偏光成分）との射出方向が異なるように分離するものである。したがって入射面が、ＸＹ面をＹ軸周りに回転した位置に配置され、射出面が、ＸＹ面に配置される構成としても良いし、入射面、射出面とも、ＸＹ面をＹ軸周りに回転した位置に配置してもよい。すなわち入射面と射出面との交線（稜線）がＹ方向にあれば良い。また、偏角プリズム３の光学軸３ａは必ずしもＸ方向である必要はなく、ＸＺ面内にあれば良い。但しＺ方向と一致する場合は除く。また、等方性プリズム４は、偏角プリズム３にＺ方向より入射した後に分岐して射出する常光線ｏ（Ｓ偏光成分）と異常光線ｅ（Ｐ偏光成分）を、Ｚ軸対称に変換するものであるから、偏角プリズム３と同様に、入射面と射出面との交線（稜線）がＹ方向にあれば良い。
【００２２】
Ｐ偏光とＳ偏光とに分離された光線は、レチクルＲを照明し、投影光学系を介してレチクルパターンの像をウエハＷ上に投影する。その際、投影光学系の第１及び第２平面鏡１６、２１にて反射することにより、Ｐ偏光の強度は相対的に低下する。図３（Ｂ）に示した偏角プリズム３に入射する光の偏光状態は、２回の反射によってＰ偏光の強度が相対的に低下したときに、Ｐ偏光の強度とＳ偏光の強度がほぼ等しくなるように設定されている。
【００２３】
すなわち本実施例では投影光学系に２つの平面鏡１６、２１が配置されているから、図３（Ｄ）に示す等方性プリズム４射出後の光の偏光度は、前記した（１）式の値の２乗とすれば良く、その偏光度を持つ部分偏光となるように、偏角プリズム３に入射する光の偏光状態を調節している。
これにより、ウエハＷは等しい強度のＰ偏光とＳ偏光とによって、すなわち完全非偏光の光によって露光されるから、偏光状態による露光むらを解消することができる。
【００２４】
第１平面鏡１６と第２平面鏡２１に用いる反射膜については、Ｐ偏光に対する反射率ＲpとＳ偏光に対する反射率Ｒsとの差ΔＲの、それぞれの平面鏡１６、２１に入射するすべての光線についての最大値ΔＲmaxと最小値ΔＲminとの差ΔＲmax−ΔＲminが、
ΔＲmax−ΔＲmin≦０．１
となるように形成することが好ましい。これにより、瞳面内及び露光領域内（視野内）の偏光度の差を小さくすることができ、露光領域全域でレチクルパターンの方向性に依存しない０．１ミクロン単位の解像度を実現することができる。
【００２５】
以上説明のように、縮小投影光学系の場合、ウエハＷ側の開口数の方がレチクルＲ側に比べて大きく、偏光の方向性の影響ははるかに大きい。したがってレチクルＲを上記の如き部分偏光で照明することにより、ウエハＷ上には偏光度の小さい光が到達することとなり、レチクルパターンの方向性に依存しない０．１ミクロン単位の解像度を実現している。
【００２６】
更に、投影光学系が光軸ｚを含まないスリット状もしくは円弧状の照明・露光領域Ｒａ、Ｗａを用い、レチクルＲとウエハＷを同時に走査して大きな露光領域Ｗａを得る走査光学系で、レチクルパターンの中間像１５を形成する第１結像光学系１０と、中間像１５の再結像をウエハＷの感光面上に形成する第２結像光学系２０から構成され、中間像１５付近に配置された光軸を偏向するための平面鏡１６を用いることで、透過反射面をもつ偏光ビームスプリッタ等の製造困難な光路変換部材を用いずに、製造が容易で高いスループットを持った投影露光装置を実現できる。
【００２７】
また、平面鏡１５が第１結像光学系１０から第２結像光学系２０へ至る光路中に配置され、投影光学系中に少なくとも１つ凹面反射鏡１１を用いることで、像側で大きな開口数を持ちつつ、投影光学系の小型化を達成することが可能で、現実的な大きさの投影露光装置となる。
【００２８】
更に、第１結像光学系１０中に凹面反射鏡１１を採用し、第２結像光学系２０が縮小の結像倍率を有することで、像側で大きな開口数を達成することが可能で、高い解像力を持つ投影露光装置が実現される。
また、中間像付近に配置した第１平面鏡１５のほかに、第１平面鏡１５とウエハＷとの間の光路中に第２平面鏡２１を配置することで、レチクルＲのパターン面とウエハＷの感光面とを平行にすることが可能で、レチクルステージ及びウエハステージが受ける重力の影響を、走査方向と垂直にすることができ、安定した走査露光が実現できる。
【００２９】
【発明の効果】
以上説明のように、光線を偏向する平面鏡は、Ｐ偏光に対する反射率とＳ偏光に対する反射率とが異なるが、本発明では１または複数個の平面鏡で反射した後のＰ偏光の強度とＳ偏光の強度とが等しくなるようにすることができるから、ウエハを完全非偏光あるいはそれに近い光で露光することができ、偏光状態に起因する露光むらを解消することができる。
【図面の簡単な説明】
【図１】本発明による投影露光装置の一実施例を示す概略図
【図２】図１中（Ａ）Ａ−Ａ線矢視図と、（Ｂ）Ｂ−Ｂ線矢視図
【図３】（Ａ）偏角プリズムと等方性プリズムを示す側面図と、図Ａ中（Ｂ）Ｂ−Ｂ線矢視図、（Ｃ）Ｃ−Ｃ線矢視図、及び（Ｄ）Ｄ−Ｄ線矢視図
【符号の説明】
１…レーザー光源                ２…整形光学系
３…偏角プリズム                ４…等方性プリズム
５…オプティカルインテグレータ  ６…コンデンサー
１０…第１結像光学系            １１…凹面鏡
１５…中間像                    １６…第１平面鏡
２０…第２結像光学系            ２１…第２平面鏡
Ｒ…レチクル                    Ｗ…ウエハ
Ｒａ…照明領域                  Ｗａ…露光領域
【図１】
0003985346.tif 000005
【図２】
0003985346.tif 000006
【図３】
0003985346.tif 000007